(57)【特許請求の範囲】
【請求項１】
屈曲可能なフレキシブル基板と、
前記フレキシブル基板上の電極と対向するバンプを有する電子部品と、
前記電極と前記バンプとの間に挟持された異方性導電接着剤と、
を備え、
前記バンプにおいて、前記電極と電気的な接続を形成している面の屈曲方向の長さは、前記フレキシブル基板の屈曲直径の１／４００以下であり、前記電極と電気的な接続を形成している面の面積は、１０００μｍ２以上である、異方性接続構造体。
【請求項２】
屈曲可能なフレキシブル基板と、
前記フレキシブル基板上の電極と対向するバンプを有し、厚みが１００μｍ以下である電子部品と、
前記電極と前記バンプとの間に挟持された異方性導電接着剤と、
を備え、
前記バンプにおいて、前記電極と電気的な接続を形成している面の屈曲方向の長さは、前記フレキシブル基板の屈曲直径の１／４００以下である、異方性接続構造体。
【請求項３】
屈曲可能なフレキシブル基板と、
前記フレキシブル基板上の電極と対向するバンプし、厚みが１００μｍ以下である電子部品と、
前記電極と前記バンプとの間に挟持された異方性導電接着剤と、
を備え、
前記バンプにおいて、前記電極と電気的な接続を形成している面の屈曲方向の長さは、前記フレキシブル基板の屈曲直径の１／４００以下であり、前記電極と電気的な接続を形成している面の面積は、１０００μｍ２以上である、異方性接続構造体。
【請求項４】
前記バンプは、複数の凸部を備え、
前記複数の凸部の各々にて、前記電極と電気的な接続を形成する、請求項１〜３のいずれか一項に記載の異方性接続構造体。
【請求項５】
前記バンプの厚み方向の断面形状は、櫛形である、請求項４に記載の異方性接続構造体。
【請求項６】
前記バンプにおいて、前記電極と電気的な接続を形成している面の屈曲方向の長さは、前記フレキシブル基板の屈曲直径の１／５００以下である、請求項１〜５のいずれか一項に記載の異方性接続構造体。
【請求項７】
前記バンプは、前記電子部品に複数備えられ、それぞれ前記フレキシブル基板上の電極と対向する、請求項１〜６のいずれか一項に記載の異方性接続構造体。
【請求項８】
前記フレキシブル基板および前記電子部品は、屈曲形状を保持している、請求項１〜７のいずれか一項に記載の異方性接続構造体。
【請求項９】
屈曲可能なフレキシブル基板と、電子部品とを、前記フレキシブル基板上の電極と、前記電子部品のバンプとが対向し、前記電極と前記バンプとの間に異方性導電接着剤が挟持されるように配置するステップと、
熱圧着によって、前記フレキシブル基板と、前記電子部品とを電気的に接続するステップと、
を含み、
前記バンプにおいて、前記電極と電気的な接続を形成する面の屈曲方向の長さは、前記フレキシブル基板の屈曲直径の１／４００以下であり、前記電極と電気的な接続を形成する面の面積は、１０００μｍ２以上である、異方性接続構造体の製造方法。
【請求項１０】
屈曲可能なフレキシブル基板と、厚みが１００μｍ以下である電子部品とを、前記フレキシブル基板上の電極と、前記電子部品のバンプとが対向し、前記電極と前記バンプとの間に異方性導電接着剤が挟持されるように配置するステップと、
熱圧着によって、前記フレキシブル基板と、前記電子部品とを電気的に接続するステップと、
を含み、
前記バンプにおいて、前記電極と電気的な接続を形成する面の屈曲方向の長さは、前記フレキシブル基板の屈曲直径の１／４００以下である、異方性接続構造体の製造方法。
【請求項１１】
屈曲可能なフレキシブル基板と、厚みが１００μｍ以下である電子部品とを、前記フレキシブル基板上の電極と、前記電子部品のバンプとが対向し、前記電極と前記バンプとの間に異方性導電接着剤が挟持されるように配置するステップと、
熱圧着によって、前記フレキシブル基板と、前記電子部品とを電気的に接続するステップと、
を含み、
前記バンプにおいて、前記電極と電気的な接続を形成する面の屈曲方向の長さは、前記フレキシブル基板の屈曲直径の１／４００以下であり、前記電極と電気的な接続を形成する面の面積は、１０００μｍ２以上である、異方性接続構造体の製造方法。
【発明の詳細な説明】
【技術分野】
【０００１】
本発明は、異方性接続構造体に関する。
【背景技術】
【０００２】
近年、液晶表示装置（Ｌｉｑｕｉｄ  Ｃｒｙｓｔａｌ  Ｄｉｓｐｌａｙ）および有機電界発光表示装置（Ｏｒｇａｎｉｃ  ＥｌｅｃｔｒｏＬｕｍｉｎｅｓｃｅｎｃｅ  Ｄｉｓｐｌａｙ）などの半導体装置において、可撓性および柔軟性を有する基板および電子部品を用いて、装置をフレキシブル化することが検討されている。
【０００３】
例えば、下記の特許文献１〜３には、フレキシブル基板と、フレキシブルドライバＩＣ（Ｉｎｔｅｇｒａｔｅｄ  Ｃｉｒｃｕｉｔ）とを異方性導電膜材料にて接続することで、装置全体の可撓性および柔軟性を向上させた表示装置が開示されている。
【０００４】
また、下記の特許文献４には、所定の複数の樹脂を含有することで硬化後のヤング率を比較的変形しやすい値に調整した異方性導電接着剤が開示されている。特許文献４に開示された異方性導電接着剤は、接着している基板の反りまたは屈曲に対しても、柔軟に弾性変形することができるため、該異方性導電接着剤を用いて製造された液晶表示装置では、基板のうねり等を抑制することができる。
【先行技術文献】
【特許文献】
【０００５】
【特許文献１】特開２００８−２８１６３５号公報
【特許文献２】特開２００８−２８１６３８号公報
【特許文献３】特開２００８−１６５２１９号公報
【特許文献４】特開２００３−３３７３４６号公報
【発明の概要】
【発明が解決しようとする課題】
【０００６】
しかし、上記の特許文献１〜４に開示された技術を用いた異方性接続構造体では、屈曲によって基板と電子部品（ドライバＩＣなど）との電気的な接続（以下、異方性導電接続ともいう）が不安定になりやすかった。そのため、上記の特許文献１〜４に開示された異方性接続構造体では、屈曲によって異方性導電接続の導通抵抗が上昇してしまうという課題があった。
【０００７】
そこで、本発明は、上記問題に鑑みてなされたものであり、本発明の目的とするところは、異方性導電接続の導通抵抗が屈曲によって上昇することを抑制することが可能な、新規かつ改良された異方性接続構造体を提供することにある。
【課題を解決するための手段】
【０００８】
上記課題を解決するために、本発明のある観点によれば、屈曲可能なフレキシブル基板と、前記フレキシブル基板上の電極と対向するバンプを有する電子部品と、前記電極と前記バンプとの間に挟持された異方性導電接着剤と、を備え、前記バンプにおいて、前記電極と電気的な接続を形成している面の屈曲方向の長さは、前記フレキシブル基板の屈曲直径の１／４００以下である、異方性接続構造体が提供される。
【０００９】
前記バンプは、複数の凸部を備え、前記複数の凸部の各々にて、前記電極と電気的な接続を形成してもよい。
【００１０】
前記バンプの厚み方向の断面形状は、櫛形であってもよい。
【００１１】
前記バンプにおいて、前記電極と電気的な接続を形成している面の屈曲方向の長さは、前記フレキシブル基板の屈曲直径の１／５００以下であってもよい。
【００１２】
前記バンプは、前記電子部品に複数備えられ、それぞれ前記フレキシブル基板上の電極と対向してもよい。
【００１３】
前記フレキシブル基板および前記電子部品は、屈曲形状を保持していてもよい。
【発明の効果】
【００１４】
以上説明したように本発明によれば、電子部品のバンプの屈曲方向の長さを、フレキシブル基板の屈曲直径に基づく長さ以下とすることにより、屈曲時にバンプと電極との間に作用する応力を緩和することができる。これにより、異方性接続構造体において、屈曲によるフレキシブル基板と電子部品との間の導通抵抗の上昇を抑制することができる。
【図面の簡単な説明】
【００１５】
【図１】本発明の一実施形態に係る異方性接続構造体を上面から見た平面図である。
【図２Ａ】図１の異方性接続構造体をＸ方向に屈曲した際の側面図である。
【図２Ｂ】図１の異方性接続構造体をＸ方向に屈曲した際の側面図である。
【図３】同実施形態に係る異方性接続構造体における異方性導電接続部分を厚み方向に切断した断面図である。
【図４】変形例に係る異方性接続構造体における異方性導電接続部分を厚み方向に切断した断面図である。
【図５Ａ】異方性接続構造体に対する屈曲試験を説明する説明図である。
【図５Ｂ】異方性接続構造体に対する屈曲試験を説明する説明図である。
【図５Ｃ】異方性接続構造体に対する屈曲試験を説明する説明図である。
【図６】Ｘ方向長さ／屈曲直径に対する抵抗値上昇率をプロットしたグラフ図である。
【図７】Ｘ方向長さ／屈曲直径に対する初期抵抗および屈曲後抵抗をプロットしたグラフ図である。
【図８】バンプ面積に対する初期抵抗および屈曲後抵抗をプロットしたグラフ図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜１．異方性接続構造体の構成＞
［１．１．異方性接続構造体の概略］
まず、図１〜図２Ｂを参照して、本発明の一実施形態に係る異方性接続構造体の概略について説明する。図１は、本実施形態に係る異方性接続構造体１を上面から見た平面図である。また、図２Ａおよび図２Ｂは、図１の異方性接続構造体１をＸ方向に屈曲した際の側面図である。
【００１８】
なお、以下において、Ｘ方向に屈曲するとは、例えば、図１において、フレキシブル基板１００の短手方向を折り曲げ軸として、フレキシブル基板１００の短辺同士を接触させるように屈曲させることを表す。
【００１９】
図１に示すように、本実施形態に係る異方性接続構造体１は、フレキシブル基板１００と、フレキシブル基板１００上に異方性導電接続された電子部品２００とを備える。なお、本実施形態に係る異方性接続構造体１は、例えば、屈曲可能なフレキシブル表示装置に用いられる構造体である。
【００２０】
フレキシブル基板１００は、可撓性および柔軟性が高い材料で形成された基板である。フレキシブル基板１００上には、例えば、画像を表示するための画素が形成された表示部１０１が形成される。また、表示部１０１の周縁には、電子部品２００から各画素への制御信号の入出力を行うための電極および配線等が形成される。
【００２１】
電子部品２００は、例えば、表示部１０１に形成された画素等を制御するドライバＩＣである。電子部品２００は、研磨等により薄膜化されることで、または、可撓性および柔軟性が高い材料で形成されることで、フレキシブル基板１００と同程度の可撓性および柔軟性を有していてもよい。また、電子部品２００には、フレキシブル基板１００との制御信号の入出力のために、外部入出力端子となる少なくとも１つ以上のバンプ２１０が設けられる。なお、電子部品２００のＹ方向の長さ（図１におけるＷの長さ）は、例えば、０．５ｍｍ〜３ｍｍ程度であり、Ｘ方向の長さ（図１におけるＬの長さ）は、例えば、１０ｍｍ〜５０ｍｍ程度である。
【００２２】
また、フレキシブル基板１００と、電子部品２００とは、硬化性樹脂に微細な導電性粒子等を含有させた異方性導電接着剤にて接着されることで異方性導電接続されている。具体的には、フレキシブル基板１００と、電子部品２００とは、異方性導電接着剤中の硬化性樹脂によって接着され、かつ、フレキシブル基板１００上の電極と、該電極等に対して対向する電子部品２００のバンプ２１０とは、異方性導電接着剤中の導電性粒子によって電気的に接続されている。
【００２３】
ここで、本実施形態に係る異方性接続構造体１では、フレキシブル基板１００および電子部品２００が可撓性および柔軟性を有しているため、例えば、図２Ａおよび図２Ｂに示すように、接続構造体全体を屈曲させることができる。具体的には、異方性接続構造体１は、図２Ａに示すように、電子部品２００が接着された面を外側にして屈曲することができる。また、異方性接続構造体１は、図２Ｂに示すように、電子部品２００が接着された面を内側にして屈曲することができる。
【００２４】
ただし、図２Ａまたは図２Ｂに示すように異方性接続構造体１を屈曲させた場合、フレキシブル基板１００と電子部品２００との接着界面には応力が作用するため、フレキシブル基板１００と電子部品２００との密着性が低下することがあった。
【００２５】
例えば、図２Ａに示す屈曲を行った場合、電子部品２００は、フレキシブル基板１００よりも外側に位置するため、フレキシブル基板１００に追随して屈曲することで、引張応力を受ける。また、図２Ｂに示す屈曲を行った場合、電子部品２００は、フレキシブル基板１００よりも内側に位置するため、フレキシブル基板１００に追随して屈曲することで、圧縮応力を受ける。
【００２６】
このような応力は、フレキシブル基板１００と電子部品２００との接触界面において、密着性を低下させるように作用する。これにより、フレキシブル基板１００と電子部品２００との密着性が低下した場合、フレキシブル基板１００上の電極と、電子部品２００のバンプ２１０との間に挟持された異方性導電接着剤に含有される導電性粒子の接続が弱くなるため、導通抵抗が上昇してしまうことが懸念される。
【００２７】
本発明者らは、上記の問題点等を詳細に検討した結果、電子部品２００のバンプ２１０の屈曲方向の長さを、フレキシブル基板１００の屈曲直径に基づく長さ以下とすることにより、屈曲による導通抵抗の増加を抑制できることを見出した。
【００２８】
具体的には、端部が平行になるようにフレキシブル基板１００を「Ｕ字」型に屈曲させた場合におけるフレキシブル基板１００の屈曲方向の端部間距離（図２Ａにおける距離Ｄ、すなわち屈曲直径）に対して、バンプ２１０の屈曲方向の長さは１／４００以下である。なお、バンプ２１０の屈曲方向の長さとは、バンプ２１０において、実際にフレキシブル基板１００上の電極と電気的接続を形成している面の屈曲方向の長さを表す。
【００２９】
このようにバンプ２１０の屈曲方向の長さを小さく形成することにより、異方性接続構造体１を屈曲した場合にフレキシブル基板１００と電子部品２００との接着界面に作用する応力を緩和することができる。これにより、本実施形態に係る異方性接続構造体１は、フレキシブル基板１００と電子部品２００との密着性を維持することができるため、屈曲によってフレキシブル基板１００および電子部品２００における導通抵抗が上昇することを抑制することができる。
【００３０】
［１．２．異方性接続構造体の詳細構成］
次に、図３を参照して、本実施形態に係る異方性接続構造体１の詳細な構成を説明する。図３は、本実施形態に係る異方性接続構造体１における異方性導電接続部分を厚み方向に切断した断面図である。
【００３１】
図３に示すように、本実施形態に係る異方性接続構造体１は、電極１１０が形成されたフレキシブル基板１００と、電極１１０と対向するバンプ２１０が形成された電子部品２００と、電極１１０およびバンプ２１０の間に挟持され、導電性粒子３１０を含有する異方性導電接着剤３００とを備える。なお、図３では、異方性接続構造体１に備えられる電極１１０およびバンプ２１０は、１つずつであるが、本実施形態は、図３の例示に限定されない。電極１１０およびバンプ２１０は、必要に応じて、異方性接続構造体１に複数備えられていてもよく、複数備えられた電極１１０およびバンプ２１０の配置は、任意に設定することができる。
【００３２】
フレキシブル基板１００は、例えば、可撓性および柔軟性が高い材料で形成された基板である。また、フレキシブル基板１００上には、配線（図示せず）および電極１１０が形成される。フレキシブル基板１００は、例えば、ポリエチレンテレフタレート、ポリエチレンナフタレート、ポリエーテルサルフォン、ポリエチレン、ポリカーボネート、ポリイミド、およびアクリル樹脂などの樹脂で形成されてもよく、薄膜化された金属またはガラスなどで形成されてもよい。ただし、表示部１０１に表示される画像等の視認性を確保するためには、フレキシブル基板１００は、可視光の透過率が高い透明樹脂で形成されることが好ましい。
【００３３】
フレキシブル基板１００の厚みは、異方性接続構造体１の強度を維持しやすくするために、２μｍ以上が好ましく、５μｍ以上がより好ましく、５０μｍ以上がさらに好ましい。また、フレキシブル基板１００の厚みは、異方性接続構造体１の可撓性が低下しすぎないようにするために、２０００μｍ以下が好ましく、１０００ｍ以下がより好ましい。
【００３４】
電極１１０は、フレキシブル基板１００上に形成され、電子部品２００等からの制御信号等に対する入出力端子として機能する。電極１１０は、例えば、アルミニウム、銀、ニッケル、銅、および金などの金属、酸化インジウムスズ（ＩＴＯ）、酸化インジウム亜鉛（ＩＺＯ）、酸化インジウム、導電性酸化スズ、アンチモンスズ酸化物（ＡＴＯ）、および導電性酸化亜鉛などの導電性金属酸化物、ポリアニリン、ポリピロール、およびポリチオフェンなどの導電性高分子などにて形成することができる。ただし、電極１１０は、表示部１０１に表示される画像等の視認性を確保するためには、透明導電性物質（ＩＴＯ、ＩＺＯなど）で形成されることが好ましい。なお、電極１１０の高さは、公知の電極１１０の高さを適宜用いることが可能である。
【００３５】
電子部品２００は、例えば、画素等の駆動を制御するドライバＩＣなどである。電子部品２００は、公知の材料および構成にて形成することができるが、フレキシブル基板１００と同様の可撓性および柔軟性を有することが好ましい。電子部品２００の厚みは、例えば、１００μｍ以下であることが好ましく、５０μｍ以下であることがより好ましい。
【００３６】
バンプ２１０は、電子部品２００からの制御信号を対向する電極１１０へ入出力する端子として機能する。バンプ２１０は、例えば、電極１１０と同様に、アルミニウム、銀、ニッケル、銅および金などの金属、酸化インジウムスズ（ＩＴＯ）、酸化インジウム亜鉛（ＩＺＯ）、酸化インジウム、導電性酸化スズ、アンチモンスズ酸化物（ＡＴＯ）および導電性酸化亜鉛などの導電性金属酸化物、ポリアニリン、ポリピロールおよびポリチオフェンなどの導電性高分子などにて形成することができる。なお、バンプ２１０の高さは、公知のバンプ２１０の高さを適宜用いることが可能である。
【００３７】
本実施形態に係る異方性接続構造体１において、バンプ２１０の屈曲方向の長さ（図３における長さＢ）は、異方性接続構造体１を屈曲させた場合におけるフレキシブル基板１００の屈曲直径の１／４００以下である。このようにバンプ２１０の屈曲方向の長さを狭くすることにより、屈曲時にバンプ２１０と電極１１０との間に作用する応力を緩和することができる。これにより、異方性接続構造体１は、屈曲時に電極１１０とバンプ２１０との電気的接続を維持することができるため、導通抵抗の上昇を抑制することができる。
【００３８】
また、本実施形態に係る異方性接続構造体１では、バンプ１２０の屈曲方向の長さがより狭くなるため、バンプ２１０の形成に使用する導電性物質の消費量を削減し、異方性接続構造体１の材料コストを低下させることができる。特に、良好な導電性を実現するために金などの貴金属にてバンプ２１０を形成する場合、異方性接続構造体１の材料コストをさらに低下させることができる。
【００３９】
例えば、本実施形態に係る異方性接続構造体１において、フレキシブル基板１００の屈曲直径が１００００μｍである場合、バンプ２１０の屈曲方向の長さは、２５μｍ以下である。ここで、バンプ２１０の屈曲方向の長さは、より詳細には、バンプ２１０において電極１１０と電気的な接続を形成している面の屈曲方向の長さを表し、図３にて示す長さＢに相当する。
【００４０】
また、バンプ２１０の屈曲方向の長さは、好ましくは、異方性接続構造体１を屈曲させた場合におけるフレキシブル基板１００の屈曲直径の１／５００以下である。このような場合、異方性接続構造体１は、屈曲時にバンプ２１０と電極１１０との間に作用する応力をさらに緩和することができるため、電極１１０とバンプ２１０との電気的接続の安定性をより向上させ、導通抵抗の上昇をさらに抑制することができる。
【００４１】
一方、バンプ２１０の屈曲方向の長さは、好ましくは、異方性接続構造体１を屈曲させた場合におけるフレキシブル基板１００の屈曲直径の１／１００００以上であり、より好ましくは、１／５０００以上である。バンプ２１０の屈曲方向の長さが過剰に狭い場合、バンプ２１０と電極１１０との電気的接続が形成しにくくなり、非屈曲時からフレキシブル基板１００と電子部品２００との導通抵抗が高くなってしまうため、好ましくない。
【００４２】
また、バンプ２１０において、電極１１０と電気的な接続を形成している面の面積は、１０００μｍ２以上であることが好ましい。このような場合、バンプ２１０と電極１１０との電気的接続の安定性がより向上するため、非屈曲時からフレキシブル基板１００と電子部品２００との導通抵抗を低くすることができる。なお、バンプ２１０における電極１１０と電気的な接続を形成している面の面積とは、より詳細には、電極１１０の射影をバンプ２１０に投影した際に、電極１１０の射影とバンプ２１０とが重なり合った面積を表す。
【００４３】
異方性導電接着剤３００は、例えば、硬化性樹脂に微細な導電性粒子３１０を含有させたものである。異方性導電接着剤３００は、硬化性樹脂によりフレキシブル基板１００と、電子部品２００とを接着し、導電性粒子３１０により電極１１０とバンプ２１０とを電気的に接続する。
【００４４】
硬化性樹脂は、例えば、ビスフェノールＡ型エポキシ樹脂、ビスフェノールＦ型エポキシ樹脂、ノボラック型エポキシ樹脂、変性エポキシ樹脂、および脂環式エポキシ樹脂などのエポキシ樹脂、ならびにメチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス［４−（アクリロキシメトキシ）フェニル］プロパン、２，２−ビス［４−（アクリロキシエトキシ）フェニル］プロパン、ジシクロペンテニルアクリレート、トリシクロデカニルアクリレート、トリス（アクリロキシエチル）イソシアネレート、およびウレタンアクリレートなどのアクリル樹脂を用いることができる。
【００４５】
上述した硬化性樹脂は、硬化剤と併用されることにより、接着時に硬化し、フレキシブル基板１００と電子部品２００とを接着することができる。硬化剤としては、例えば、エポキシ樹脂を硬化させるアニオンまたはカチオン重合型硬化剤、およびアクリレート樹脂を硬化させるラジカル重合型硬化剤を適宜、最適なものを選択して用いることができる。
【００４６】
導電性粒子３１０は、例えば、金属粒子、および金属被覆樹脂粒子である。具体的には、導電性粒子３１０は、ニッケル、コバルト、銅、銀、金、またはパラジウムなどの金属粒子であってもよい。また、導電性粒子３１０は、スチレン−ジビニルベンゼン共重合体、ベンゾグアナミン樹脂、架橋ポリスチレン樹脂、アクリル樹脂、またはスチレン−シリカ複合樹脂などのコア樹脂粒子の表面を、ニッケル、銅、金、またはパラジウムなどの金属で被覆した粒子であってもよい。さらに、導電性粒子３１０の表面には、金もしくはパラジウム薄膜、または圧着時には破壊される程度に薄い絶縁樹脂薄膜などが形成されてもよい。
【００４７】
導電性粒子１４０の平均粒子径（粒子の直径の個数平均値）は、例えば、１μｍ以上２０μｍ以下であってもよく、好ましくは２μｍ以上１０μｍ以下であってもよい。なお、導電性粒子１４０の平均粒子径は、例えば、レーザー回折・散乱法などによって測定することが可能である。
【００４８】
なお、異方性導電接着剤３００は、ペースト状の異方性導電ペーストであってもよく、膜形成樹脂をさらに含有することでフィルム状に形成された異方性導電フィルムであってもよい。また、異方性導電接着剤３００は、シランカップリング剤、フィラーなどをさらに含有してもよい。
【００４９】
以上にて説明したように、本実施形態に係る異方性接続構造体１は、バンプ２１０の屈曲方向の長さをフレキシブル基板１００の屈曲直径に基づく長さ以下とすることにより、バンプ２１０と電極１１０との間に作用する応力を緩和することができる。これにより、屈曲時のフレキシブル基板１００と電子部品２００との密着性が改善し、バンプ２１０と電極１１０との間の電気的接続の安定性が改善するため、屈曲による導通抵抗の増加を抑制することが可能である。
【００５０】
［１．３．異方性接続構造体の製造方法］
続いて、本実施形態に係る異方性接続構造体１の製造方法について説明する。本実施形態に係る異方性接続構造体１は、公知の方法によって製造することが可能であり、例えば、以下の方法にてフレキシブル基板１００と、電子部品２００とを異方性導電接続することにより製造することができる。
【００５１】
まず、フレキシブル基板１００の電極１１０が形成された面上に、異方性導電接着剤３００を塗布する。塗布の方法および条件は、公知の方法および条件を用いることができる。
【００５２】
次に、電子部品２００のバンプ２１０が電極１１０と対向するように、異方性導電接着剤３００上に電子部品２００を載置し、仮固定する。仮固定の方法および条件は、公知の方法および条件を用いることができるが、例えば、異方性導電接着剤３００が本硬化しない程度に加熱および加圧することで、フレキシブル基板１００、異方性導電接着剤３００、および電子部品２００を仮固定してもよい。
【００５３】
続いて、仮固定されたフレキシブル基板１００、異方性導電接着剤３００、および電子部品２００を加熱押圧部材にて加熱および押圧して熱圧着する。これにより、フレキシブル基板１００の電極１１０と電子部品２００のバンプ２１０とを導電性粒子３１０にて異方性導電接続し、異方性接続構造体を製造することができる。ここで、熱圧着の方法および条件は、公知の熱圧着装置を用いることができる。
【００５４】
［１．４．異方性接続構造体の変形例］
次に、図４を参照して、本実施形態の変形例に係る異方性接続構造体１Ａについて説明する。図４は、本変形例に係る異方性接続構造体１Ａにおける異方性導電接続部分を厚み方向に切断した断面図である。
【００５５】
本変形例に係る異方性接続構造体１Ａは、バンプ２１０Ａが複数の凸部２１１、２１２、２１３を有する形状（例えば、櫛形形状）にて形成されている点が、図３で示した異方性接続構造体１と異なる。
【００５６】
図４に示すように、本変形例に係る異方性接続構造体１Ａは、複数の凸部２１１、２１２、２１３を有するバンプ２１０Ａを備える。なお、バンプ２１０Ａの形状以外の構成については、図３で示した異方性接続構造体１と同様であるので、ここでの説明は省略する。
【００５７】
バンプ２１０Ａは、複数の凸部２１１、２１２、２１３を備え、各凸部２１１、２１２、２１３にて電極１１０と電気的に接続している。ここで、バンプ２１０Ａに形成される凸部２１１、２１２、２１３の数は、特に限定されず、任意の数であってもよい。また、凸部２１１、２１２、２１３の平面形状も特に限定されず、例えば、ストライプ形状、千鳥格子形状、またはジグザグ形状などであってもよい。ただし、バンプ２１０Ａに対する複数の凸部２１１、２１２、２１３の形成の容易性を考慮すると、凸部２１１、２１２、２１３の平面形状は、ストライプ形状であることが好ましく、バンプ２１０Ａの厚み方向の断面形状は、櫛形形状であることが好ましい。
【００５８】
上述したように、バンプ２１０Ａの屈曲方向の長さは、異方性接続構造体１Ａを屈曲させた場合におけるフレキシブル基板１００の屈曲直径の１／４００以下であり、好ましくは、１／５００以下である。また、バンプ２１０Ａの屈曲方向の長さは、好ましくは、異方性接続構造体１Ａを屈曲させた場合におけるフレキシブル基板１００の屈曲直径の１／１００００以上であり、より好ましくは、１／５０００以上である。
【００５９】
ここで、本変形例において、バンプ２１０の屈曲方向の長さは、より詳細には、バンプ２１０Ａにおいて電極１１０と電気的な接続を形成している面の各々の屈曲方向の長さを表し、図４にて示す長さＢ１、Ｂ２、Ｂ３に相当する。
【００６０】
本変形例に係る異方性接続構造体１Ａでは、凸部２１１、２１２、２１３の長さを屈曲時に導通抵抗が増加しない長さとしつつ、かつバンプ２１０Ａ全体において電極１１０と電気的な接続を形成している面の面積を増加させることができる。すなわち、バンプ２１０Ａは、凸部２１１、２１２、２１３にて電極１１０と電気的に接続しているため、異方性接続構造体１Ａは、電極１１０と電気的な接続を形成している面の面積を凸部２１１、２１２、２１３の上面の合計面積とすることができる。これにより、本変形例に係る異方性接続構造体１Ａでは、屈曲時の導通抵抗の上昇を抑制しつつ、非屈曲時のフレキシブル基板１００と電子部品２００との導通抵抗をさらに低くすることができる。
【００６１】
なお、上述したように、バンプ２１０Ａにおいて、電極１１０と電気的な接続を形成している面の合計面積（すなわち、凸部２１１、２１２、２１３の上面の合計面積）は、１０００μｍ２以上であることが好ましい。このような場合、バンプ２１０Ａと電極１１０との電気的接続の安定性がより向上するため、異方性接続構造体１Ａは、非屈曲時からフレキシブル基板１００と電子部品２００との導通抵抗をより低くすることができる。
【００６２】
また、本変形例に係る異方性接続構造体１Ａは、凸部２１１、２１２、２１３の間に凹部が形成されるため、バンプ２１０Ａの形成に使用する導電性物質の消費量を削減し、異方性接続構造体１Ａの材料コストを低下させることができる。特に、良好な導電性を実現するために金などの貴金属にてバンプ２１０Ａを形成する場合、異方性接続構造体１Ａの材料コストをより低下させることができる。
【００６３】
なお、このようなパターン化されたバンプ２１０Ａは、例えば、バンプ２１０Ａを形成する際のめっき工程を凸部２１１、２１２、２１３の下部を形成する工程と、凸部２１１、２１２、２１３を形成する工程とに分けて行うことにより、形成することができる。
【実施例】
【００６４】
＜２．実施例＞
以下では、実施例および比較例を参照しながら、本実施形態に係る異方性接続構造体について、より詳細に説明する。なお、以下に示す実施例は、本実施形態に係る異方性接続構造体の実施可能性および効果を示すための一例であり、本発明が以下の実施例に限定されるものではない。
【００６５】
［２．１．異方性接続構造体の製造］
以下に示す方法にて、本実施形態に係る異方性接続構造体を製造した。なお、以下の実施例において、Ｘ方向およびＹ方向の定義は、図１と同様とする。
【００６６】
（実施例１）
まず、高さ２０μｍのＴｉ／Ａｌ電極（電極のレイアウトは、後述のＩＣチップのバンプレイアウトと同様である）を形成した膜厚０．３ｍｍのポリイミド基板（フレキシブル基板）を用意した。また、Ｘ方向に屈曲直径１００００μｍにて屈曲させることを想定し、Ｘ方向長さ２５ｍｍ×Ｙ方向長さ２ｍｍ、かつ厚み０．３ｍｍであるＩＣチップ（電子部品）を用意した。ここで、ＩＣチップには、Ｘ方向長さ２５μｍ×Ｙ方向長さ５０μｍ、かつ高さ２０μｍである金めっきバンプを形成した。
【００６７】
次に、ポリイミド基板のＴｉ／Ａｌ電極が形成された面に対して、異方性導電接着剤として、異方性導電フィルム（デクセリアルズ社製ＣＰ６９２０Ｆ３、平均厚み２５μｍ、導電性粒子の平均粒子径３μｍ）を貼り付けた。
【００６８】
続いて、金めっきバンプがポリイミド基板のＴｉ／Ａｌ電極と対向するように、ＩＣチップを異方性導電フィルム上に載置し、仮固定した。さらに、仮固定したポリイミド基板、異方性導電フィルム、およびＩＣチップを熱圧着装置（東レエンジニアリング社製ＦＣ１０００）により、１９０℃−６０ＭＰａ−５秒間の条件で熱圧着し、実施例１に係る異方性接続構造体を製造した。
【００６９】
（実施例２）
Ｘ方向長さ２０μｍ×Ｙ方向長さ５０μｍである金めっきバンプを形成したＩＣチップを用いたことを除いては、実施例１と同様の方法にて実施例２に係る異方性接続構造体を製造した。
【００７０】
（実施例３）
Ｘ方向長さ２０μｍ×Ｙ方向長さ５０μｍの凸部を３つ有し、凸部のＸ方向間に長さ５μｍの溝（深さ１０μｍ）を有する金めっきバンプ（全体では、Ｘ方向長さ７０μｍ×Ｙ方向長さ５０μｍ）を形成したＩＣチップを用いたことを除いては、実施例１と同様の方法にて実施例３に係る異方性接続構造体を製造した。
【００７１】
（比較例１）
Ｘ方向長さ１００μｍ×Ｙ方向長さ５０μｍである金めっきバンプを形成したＩＣチップを用いたことを除いては、実施例１と同様の方法にて比較例１に係る異方性接続構造体を製造した。
【００７２】
（比較例２）
Ｘ方向長さ５０μｍ×Ｙ方向長さ５０μｍである金めっきバンプを形成したＩＣチップを用いたことを除いては、実施例１と同様の方法にて比較例２に係る異方性接続構造体を製造した。
【００７３】
（比較例３）
Ｘ方向長さ３３．３μｍ×Ｙ方向長さ５０μｍである金めっきバンプを形成したＩＣチップを用いたことを除いては、実施例１と同様の方法にて比較例３に係る異方性接続構造体を製造した。
【００７４】
（比較例４）
Ｘ方向長さ７０μｍ×Ｙ方向長さ５０μｍである金めっきバンプを形成したＩＣチップを用いたことを除いては、実施例１と同様の方法にて比較例４に係る異方性接続構造体を製造した。
【００７５】
［２．２．異方性接続構造体の評価］
以下に示す方法にて、実施例１〜３および比較例１〜４に係る異方性接続構造体を評価した。
【００７６】
まず、デジタルマルチメータ（横川電気社製）を用いて、ポリイミド基板とＩＣチップとの間の抵抗値を測定することで、各異方性接続構造体の初期抵抗を評価した。
【００７７】
次に、各異方性接続構造体に対して、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）規格（ＩＥＣ  ６２７１５）に準拠した屈曲試験を行った。以下では、当該屈曲試験について図５Ａ〜図５Ｃを参照して具体的に説明する。ここで、図５Ａ〜図５Ｃは、異方性接続構造体に対する屈曲試験を説明する説明図である。
【００７８】
まず、図５Ａに示すように、フレキシブル基板１００の両端部を固定具４０１、４０２にて固定し、電子部品（ＩＣチップ）２００が接着された面が外側を向き、かつ電子部品２００が屈曲されるようにＸ方向に異方性接続構造体１を屈曲させた。さらに、フレキシブル基板１００の両端部が平行である状態を維持しながら、フレキシブル基板１００の屈曲直径ｄが想定した長さになるまで異方性接続構造体１を屈曲させた。
【００７９】
続いて、図５Ａに示す状態から、フレキシブル基板１００の屈曲直径ｄを維持しながら、固定具４０１を右方向に、固定具４０２を左方向に水平に直線運動させ、図５Ｂに示すように、電子部品２００が屈曲されない位置に屈曲位置を変化させた。
【００８０】
さらに、図５Ｂに示す状態から、フレキシブル基板１００の屈曲直径ｄを維持しながら、固定具４０１を左方向に、固定具４０２を右方向に水平に直線運動させ、図５Ａに示すように、電子部品２００が屈曲される位置に屈曲位置を変化させた。続いて、固定具４０１を左方向に、固定具４０２を右方向に水平に直線運動させ、図５Ｃに示すように、電子部品２００が屈曲されない位置に屈曲位置を変化させた。
【００８１】
図５Ｂに示す状態から図５Ｃに示す状態への遷移、および図５Ｃに示す状態から図５Ｂに示す状態への遷移をそれぞれ１回とカウントして、電子部品２００を合計１０回屈曲させた。屈曲試験後、初期抵抗と同様の方法で屈曲試験後の抵抗値を測定し、屈曲後抵抗を評価した。
【００８２】
以上にて評価した結果を表１および図６〜８に示す。なお、表１において、「抵抗値上昇率」は、「屈折後抵抗」を「初期抵抗」で除算した値を百分率で表記したものである。また、「Ｘ方向長さ」の欄では、Ｘ方向長さ２０μｍの凸部を３つ有する実施例３は「２０×３個」と表記した。
【００８３】
なお、図６は、表１の結果を横軸に「Ｘ方向長さ／屈曲直径」を採り、縦軸に「抵抗値上昇率」を採ってプロットしたグラフ図である。図７は、表１の結果を横軸に「Ｘ方向長さ／屈曲直径」を採り、縦軸に「初期抵抗」および「屈曲後抵抗」を採ってプロットしたグラフ図である。図８は、表１の結果を横軸に「バンプ面積」を採り、縦軸に「初期抵抗」および「屈曲後抵抗」を採ってプロットしたグラフ図である。なお、パラメータ同士の関係をより明確にするために、図６および７のグラフ図から実施例３の結果は除外している。
【００８４】
【表１】
0006512632.tif 000002
【００８５】
表１および図６の結果を参照すると、屈曲直径に対するＸ方向のバンプ長さの割合が１／４００または１／５００である実施例１〜３は、比較例１〜４に対して抵抗値上昇率が低く、屈曲による導通抵抗の上昇が抑制されていることがわかる。特に、屈曲直径に対するＸ方向のバンプ長さの割合が１／５００である実施例２は、実施例１に対してさらに抵抗値上昇率が低くなっており、より好ましいことがわかる。
【００８６】
また、表１および図７を参照すると、屈曲直径に対するＸ方向のバンプ長さの割合が増加するほど、初期抵抗に対して屈曲後抵抗が増加しており、電子部品のバンプとフレキシブル基板の電極との電気的接続が不安定になっていることがわかる。
【００８７】
さらに、表１および図８を参照すると、凸部を３つ有するバンプを用いた実施例３は、実施例２に対してバンプ面積が拡大しているため、初期抵抗が低下していることがわかる。したがって、実施例３は、バンプ面積を拡大することで初期抵抗を低下させつつ、屈曲直径に対する凸部の屈曲方向に対する長さを小さくすることで、屈曲後抵抗も小さくできることがわかる。
【００８８】
特に、表１を参照して、実施例３と比較例４とを比較すると、実施例３においてバンプに凸部を設けることが、抵抗値上昇率の抑制に効果的であることがわかる。
【００８９】
以上の結果からわかるように、本実施形態に係る異方性接続構造体は、電子部品のバンプの屈曲方向の長さを、フレキシブル基板の屈曲直径に基づく長さ以下とすることにより、フレキシブル基板と電子部品との密着性を維持することができる。そのため、本実施形態に係る異方性接続構造体は、屈曲により、フレキシブル基板と電子部品との間で導通抵抗が上昇することを抑制することができる。
【００９０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９１】
１、１Ａ      異方性接続構造体
１００        フレキシブル基板
１１０        電極
２００        電子部品
２１０、２１０Ａ    バンプ
３００        異方性導電接着剤
３１０        導電性粒子
【図１】
0006512632.tif 000003
【図２Ａ】
0006512632.tif 000004
【図２Ｂ】
0006512632.tif 000005
【図３】
0006512632.tif 000006
【図４】
0006512632.tif 000007
【図５Ａ】
0006512632.tif 000008
【図５Ｂ】
0006512632.tif 000009
【図５Ｃ】
0006512632.tif 000010
【図６】
0006512632.tif 000011
【図７】
0006512632.tif 000012
【図８】
0006512632.tif 000013